(57)【要約】【課題】  必要最小限の開口面積をなす貫通穴を形成させることで、フランジ部材の剛性を高めるとともに気密性の向上が図れる電動圧縮機を実現する。【解決手段】  圧縮部１２および電動部１３を内部に収納し、その内部を密閉構造に保持する外ケース１１と、外ケース１１に係合され、外部からの電源を電動部１３に供給する接続端子部材２０とを備える電動圧縮機において、接続端子部材２０は、フランジ部材２１と一端が電動部１３に接続される複数の接続端子部２２とを有し、接続端子部２２の各々がフランジ部材２１を直交するように絶縁部材２３を介してフランジ部材２１に接合されるとともに、外ケース１１は、接続端子部材２０を外ケース１１に係合させたときに、接続端子部２２の一方が外ケース１１の内部に貫通可能な個別の貫通穴１１ａを有する。これにより、フランジ部材の剛性を高めるとともに気密性の向上が図れる。【選択図】        図２
2005180292.tif 000002
【特許請求の範囲】
【請求項１】
冷媒を圧縮する圧縮部（１２）および前記圧縮部（１２）を駆動する電動部（１３）を内部に収納し、その内部を密閉構造に保持する外ケース（１１）と、
前記外ケース（１１）に係合され、前記電動部（１３）に電気的に連通して外部からの電源を前記電動部（１３）に供給する接続端子部材（２０）とを備える電動圧縮機において、
前記接続端子部材（２０）は、鍔状に形成されたフランジ部材（２１）と一端が前記電動部（１３）に接続される複数の接続端子部（２２）とを有し、前記接続端子部（２２）の各々が前記フランジ部材（２１）を直交するように電気絶縁材からなる絶縁部材（２３）を介して前記フランジ部材（２１）に接合されるとともに、前記外ケース（１１）は、前記接続端子部材（２０）を前記外ケース（１１）に係合させたときに、前記接続端子部（２２）の一方が前記外ケース（１１）の内部に貫通可能な個別の貫通穴（１１ａ）を有することを特徴とする電動圧縮機。
【請求項２】
前記貫通穴（１１ａ）は、前記接続端子部（２２）が貫通する必要最小限の開口で前記外ケース（１１）に形成されたことを特徴とする請求項１に記載の電動圧縮機。
【請求項３】
前記接続端子部材（２０）は、前記複数の接続端子部（２２）が前記フランジ部材（２１）の長手方向に沿って配設されたことを特徴とする請求項１または請求項２に記載の電動圧縮機。
【請求項４】
前記接続端子部材（２０）は、前記外ケース（１１）と前記フランジ部材（２１）の一端面との間にシール部材（３０）を圧接するように前記外ケース（１１）に係合されることを特徴とする請求項１ないし請求項３のいずれか一項に記載の電動圧縮機。
【請求項５】
前記シール部材（３０）は、前記貫通穴（１１ａ）の外周縁と前記外ケース（１１）の外部とを気密するように形成したことを特徴とする請求項４に記載の電動圧縮機。
【発明の詳細な説明】
【技術分野】
【０００１】
本発明は、圧縮部およびこれを駆動する電動部を内蔵する電動圧縮機に関するものであり、特に、電動部への外部電源を供給する接続端子部の構造に関する。
【背景技術】
【０００２】
従来、この種の電動圧縮機における接続端子部の構造として、例えば、図３および図４に示すような構成のものが知られている。この種の電動圧縮機では、図３に示すように、外ケース１００の内部に冷媒を圧縮する圧縮部１１０と、この圧縮機１１０を駆動するための電動式モータなどの電動部１２０とを収納している。そして、この電動部１２０に連通して、外部からの電源を電動部１２０に供給するための接続端子部材１３０が外ケース１００にボルト１４０により係合されている。
【０００３】
ここで、外ケース１００はアルミニウム材などの金属材で形成して、その内部を密閉構造に保持している。さらに、外ケース１００には外部と内部が貫通する長穴状の貫通穴１０ａが形成されている。また、接続端子部材１３０は、図４に示すように、鍔状に形成されたフランジ部材１５０と３個の接続端子部１６０とからなり、接続端子部１６０がフランジ部材１５０に対して直交するように配設されている。なお、フランジ部材１５０と３個の接続端子部１６０との間には絶縁部材１９０を介して接合されている。
【０００４】
そして、フランジ部材１５０の一端面と外ケース１００との間には、シール部材１８０が設けられており、接続端子部材１３０の３個の接続端子部１６０の先端を圧縮部１１０に電気的に接続された雌側接続端子１７０に圧入するように装着してフランジ部材１５０をボルト１４０により外ケース１００に係合させるように組み付ける。これにより、外ケース１００の内部と外部とが気密されるようにしている。
いる。なお、外ケース１００の外部に突き出した接続端子部１６０には、図示しない電源手段やワイヤーハーネスの接続端子が装着されるものである。
【発明の開示】
【発明が解決しようとする課題】
【０００５】
しかしながら、上記構成の接続端子部によれば、外ケース１００に形成した貫通穴１０ａを長穴状に形成したことで、フランジ部材１５０が貫通穴１０ａから内部圧力を受圧する受圧面積が大きいほどフランジ部材１５０の板厚を厚くして剛性を高める問題がある。また、貫通穴１００ａの外周部と外部とを気密するシール部材１８０においても、周長の長さが長くなるほど気密性が低下する問題がある。
【０００６】
そこで、本発明の目的は、上記点を鑑みたものであり、必要最小限の開口面積をなす貫通穴を形成させることで、フランジ部材の剛性を高めるとともに気密性の向上が図れる電動圧縮機を提供することにある。
【課題を解決するための手段】
【０００７】
上記、目的を達成するために、請求項１ないし請求項５に記載の技術的手段を採用する。すなわち、請求項１に記載の発明では、冷媒を圧縮する圧縮部（１２）およびこの圧縮部（１２）を駆動する電動部（１３）を内部に収納し、その内部を密閉構造に保持する外ケース（１１）と、この外ケース（１１）に係合され、電動部（１３）に電気的に連通して外部からの電源を電動部（１３）に供給する接続端子部材（２０）とを備える電動圧縮機において、
接続端子部材（２０）は、鍔状に形成されたフランジ部材（２１）と一端が電動部（１３）に接続される複数の接続端子部（２２）とを有し、接続端子部（２２）の各々がフランジ部材（２１）を直交するように電気絶縁材からなる絶縁部材（２３）を介してフランジ部材（２１）に接合されるとともに、外ケース（１１）は、接続端子部材（２０）を外ケース（１１）に係合させたときに、接続端子部（２２）の一方が外ケース（１１）の内部に貫通可能な個別の貫通穴（１１ａ）を有することを特徴としている。
【０００８】
請求項１に記載の発明によれば、複数の接続端子部（２２）を一つの貫通穴で共用するよりも個別の貫通穴（１１ａ）を有することにより、貫通穴（１１ａ）の開口面積を小さくすることができる。従って、フランジ部材（２１）が受ける内部圧力が小さくなることでフランジ部材（２１）の剛性を高めるとともに、フランジ部材（２１）の気密性の向上が図れる。さらに、従来の長穴状の開口よりも個別の開口とすることにより、外ケース（１１）の耐圧強度の向上が図れる。
【０００９】
請求項２に記載の発明では、貫通穴（１１ａ）は、接続端子部（２２）が貫通する必要最小限の開口で外ケース（１１）に形成されたことを特徴としている。請求項２に記載の発明によれば、必要最小限の開口面積、つまり，受圧面積により、フランジ部材（２１）にかかる内部圧力が最も小さくなることで、例えば、フランジ部材（２１）を必要最小限の剛性となる板厚とすることができるためコストダウンが図れるとともに、外ケース（１１）の耐圧強度の向上が図れる。
【００１０】
請求項３に記載の発明では、接続端子部材（２０）は、複数の接続端子部（２２）がフランジ部材（２１）の長手方向に沿って配設されたことを特徴としている。請求項３に記載の発明によれば、具体的には、接続端子部（２２）が長手方向に配設されたことにより、貫通穴（１１ａ）の開口面積を最も小さくすることができるので本発明による効果が高い。
【００１１】
請求項４に記載の発明では、接続端子部材（２０）は、外ケース（１１）とフランジ部材（２１）の一端面との間にシール部材（３０）を圧接するように外ケース（１１）に係合されることを特徴としている。請求項４に記載の発明によれば、気密面積が小さくなることでシール部材（３０）の気密性の向上が図れるとともに簡素な気密構造で良い。
【００１２】
請求項５に記載の発明では、シール部材（３０）は、貫通穴（１１ａ）の外周縁と外ケース（１１）の外部とを気密するように形成したことを特徴としている。請求項５に記載の発明によれば、従来品よりも気密面積が最も小さくすることができるとともに気密性の向上が図れる。
【００１３】
なお、上記各手段の括弧内の符号は、後述する実施形態の具体的手段との対応関係を示すものである。
【発明を実施するための最良の形態】
【００１４】
以下、本発明の一実施形態の電動圧縮機を図１および図２に基づいて説明する。本実施形態の電動圧縮機は車両用空調装置に搭載される電動圧縮機に適用したものであり、図１は電動圧縮機の全体構成を示す平面図であり、図２は図１に示すＸ−Ｘ断面図である。まず、図１および図２に示すように、冷媒を圧縮する圧縮部１２、およびこの圧縮部１２を駆動する電動部１３を内部に収納し、その内部を密閉構造に保持する外ケース１１と、この外ケース１１の外部に配設され電動部１３に供給する接続端子部材２０とを一体に構成したものである。
【００１５】
本実施形態の接続端子部材２０は、鍔状に形成されたフランジ部材２１と一端が電動部１３に接続される複数（例えば、３個）の接続端子部２２とを有し、接続端子部２２の各々がフランジ部材２１を直交するように接合されている。接続端子部２２は略円筒状に形成された電極であり、一端が電動部１３に繋がれた電線１３ａの末端に設けられた雌側接続端子１３ｂに圧入によって装着され、他端が図示しないインバータ制御装置からの電源コネクタに装着されるようになっている。なお、電線１３ａおよび雌側接続端子１３ｂは複数個（例えば、３個）あって外ケース１１の内部に固定されている。
【００１６】
ところで、接続端子部２２とフランジ部材２１とは、電気絶縁材からなる絶縁部材２３を介して接合されている。より具体的には、接続端子部２２の外周と絶縁部材２３の内周との間、および絶縁部材２３の外周とフランジ部材２１の内周との間に形成される隙間には、ガラス材などからなるハーメチックシール材で気密封着されている。また、複数の接続端子部２２は、フランジ部材２１の長手方向に沿って一列になるように配設している。
【００１７】
そして、外ケース１１には、凹状の溝部からなる収納部１１ｂが形成されるとともに、その収納部１１ｂの底面には、接続端子部２２の一方が貫通する複数（例えば、３個）の貫通穴１１ａが形成されている。また、その貫通穴１１ａは、接続端子部２２の断面に対して貫通可能な必要最小限の開口となるように形成されている。なお、外ケース１１は、アルミニウム材で形成され軽量化を図っている。
【００１８】
また、フランジ部材２１の一端面と外ケース１１の収納部１１ｂの底面との間にはシール部材３０が設けられており、フランジ部材２１を２個のボルト２５の締め付けによる軸力で押し付けて固定させるようにしている。なお、シール部材３０は、接続端子部２２およびボルト２５が貫通する穴が形成された板状の気密部材である。
【００１９】
以上の構成による接続端子部材２０の組み付け方法について説明する。図２に示すように、まず、シール部材３０を収納部１１ｂに配置した状態で、接続端子部２２の一方をシール部材３０と貫通穴１１ａを貫通させて下方に押し下げる。そして、接続端子部２２のそれぞれの先端を雌側接続端子１３ｂに圧入装着させる。そして、フランジ部材２１がシール部材３０および外ケース１１に圧接されるようにボルト２５により押し付けて固定する。これにより、電動部１３に外部からの電源が連通するとともに、圧縮機の内部と外部とが気密構造なすことができる。
【００２０】
次に、以上の構成による電動圧縮機の作動について説明する。電動部１３は、圧縮部１３の冷凍能力を制御するために回転数を可変できるように構成しており、３個の電線１３ａの下流端が図示しない巻線部に繋がれている。そして、接続端子部２２の一端がそれぞれの雌側接続端子１３ｂに接続されている。接続端子部２２の他端に、図示しないインバータ制御装置からの制御された電源が入力されることで、電動部１３が所望する回転数に制御される。
【００２１】
そして、この回転数に応じて圧縮部１３が駆動され冷凍能力が制御されるものである。ところで、外ケース１１の内部の圧力は、複数の貫通穴１１ａを介してフランジ部材２１の一端面を押圧するが、接続端子部材２０および螺合によりフランジ部材２１の剛性が保たれており電動圧縮機の内部と外部との気密がなされている。
【００２２】
以上の一実施形態の電動圧縮機によれば、複数の接続端子部２２を一つの貫通穴で共用する従来品よりも個別の貫通穴１１ａを有することにより、貫通穴１１ａの開口面積を小さくすることができる。従って、フランジ部材２１が受ける内部圧力が小さくなることでフランジ部材２１の剛性を高めるとともに、フランジ部材２１の気密性の向上が図れる。さらに、従来の長穴状の開口よりも個別の開口とすることにより、外ケース１１の耐圧強度の向上が図れる。
【００２３】
また、貫通穴１１ａは、接続端子部２２が貫通する必要最小限の開口で外ケース１１に形成されたことにより、必要最小限の開口面積、つまり，受圧面積により、フランジ部材２１にかかる内部圧力が最も小さくなることで、例えば、フランジ部材２１を必要最小限の剛性となる板厚とすることができるためコストダウンが図れるとともに、外ケース１１の耐圧強度の向上が図れる。
【００２４】
また、接続端子部材２０は、複数の接続端子部２２がフランジ部材２１の長手方向に沿って配設されたことにより、貫通穴１１ａの開口面積を最も小さくすることができるので本発明による効果が高い。また、接続端子部材２０は、外ケース１１とフランジ部材２１の一端面との間にシール部材３０を圧接するように外ケース１１に係合されることにより、気密面積が小さくなることでシール部材３０の気密性の向上が図れるとともに簡素な気密構造で良い。さらに、シール部材３０は、貫通穴１１ａの外周縁と外ケース１１の外部とを気密するように形成したことにより、従来品よりも気密面積が最も小さくすることができるとともに気密性の向上が図れる。
【００２５】
（他の実施形態）
以上の一実施形態では、複数の接続端子部２２をフランジ部材２１の長手方向に沿って直線状に配設させたが、これに限らず、三角状または矩形状に配設させても良い。また、以上の実施形態では、車両用空調装置に搭載する電動圧縮機に本発明を適用させたがこれに限ることはなく、耐熱性や気密を要求される電動圧縮機にも適用する。
【図面の簡単な説明】
【００２６】
【図１】本発明の一実施形態における電動圧縮機の全体構成を示す平面図である。
【図２】図１に示すＸ−Ｘ断面図である。
【図３】従来技術における電動圧縮機の全体構成を示す平面図である。
【図４】図３に示すＸ−Ｘ断面図である。
【符号の説明】
【００２７】
１１…外ケース
１１ａ…貫通穴
１２…圧縮部
１３…電動部
２０…接続端子部材
２１…フランジ部材
２２…接続端子部
２３…絶縁部材
３０…シール部材
【図１】
2005180292.tif 000003
【図２】
2005180292.tif 000004
【図３】
2005180292.tif 000005
【図４】
2005180292.tif 000006